(57)【特許請求の範囲】
【請求項１】
上部開口側を備える開口容器の該上部開口を下向きにした状態で、その開口容器の内面に対し上向きに洗浄液を噴射することによりその開口容器の内面に付着している被洗浄物を洗浄し、その洗浄を後続の個々の開口容器に順次繰り返す洗浄装置であって、
１次洗浄としての初期洗浄のために初期洗浄液を開口容器の内面に噴射する初期洗浄液噴射装置と、
該開口容器の内面から流下する、前記被洗浄物の一部と前記初期洗浄液との混合物である初期洗浄廃液を排出する初期洗浄廃液排出装置と、
前記初期洗浄の後の２次洗浄として、洗剤を含む洗剤入り洗浄液を前記開口容器の内面に噴射する洗剤入り洗浄液噴射装置と、
使用済みの前記洗剤入り洗浄液と前記被洗浄物の残部との混合物である２次洗浄廃液を、次の開口容器の２次洗浄に再使用するための再使用洗浄廃液として保存する再使用洗浄廃液保存装置と、
その再使用洗浄廃液保存装置に保存された２次洗浄廃液を再使用洗浄廃液として次の開口容器の２次洗浄のために噴射する再使用洗浄廃液噴射装置と、
前記初期洗浄液噴射装置、前記洗剤入り洗浄液噴射装置、前記再使用洗浄廃液噴射装置の三つの装置の共通構成部品としてのポンプと、
を含み、
前記ポンプによって、前記１次洗浄時に前記初期洗浄液を噴射させ、前記２次洗浄時に前記洗剤入り洗浄液または前記再使用洗浄廃液を噴射させ、
前記開口容器の２次洗浄毎に順次生じる２次洗浄廃液が前記再使用洗浄廃液保存装置に循環するように回収・保存され、その循環して回収・保存された２次洗浄廃液が後続の個々の開口容器の２次洗浄に循環して使用される一方、前記初期洗浄廃液は再使用されることなく非循環で排出されることを特徴とする開口容器の洗浄装置。
【請求項２】
上部開口側を備える開口容器の該上部開口を下向きにした状態で、その開口容器の内面に対して上向きに洗浄液を噴射することによりその開口容器の内面に付着している被洗浄物を洗浄し、その洗浄を後続の個々の開口容器に順次繰り返す洗浄装置であって、
１次洗浄としての初期洗浄のために初期洗浄液を開口容器の内面に噴射する初期洗浄液噴射装置と、
該開口容器の内面から流下する、前記被洗浄物の一部と前記初期洗浄液との混合物である初期洗浄廃液を排出する初期洗浄廃液排出装置と、
前記初期洗浄の後の２次洗浄として、洗剤を含む洗剤入り洗浄液を前記開口容器の内面に噴射する洗剤入り洗浄液噴射装置と、
その２次洗浄の後に、該開口容器の内面にすすぎ液を噴射するすすぎ液噴射装置と、
使用済みの前記洗剤入り洗浄液と前記被洗浄物の残部との混合物である２次洗浄廃液、並びに使用済みの前記すすぎ液のすすぎ廃液が混合された２次洗浄廃液及びすすぎ廃液を、次の開口容器の２次洗浄に再使用するための再使用洗浄廃液として保存する再使用洗浄廃液保存装置と、
その再使用洗浄廃液保存装置に保存された２次洗浄廃液及びすすぎ廃液を再使用洗浄廃液として次の開口容器の２次洗浄のために噴射する再使用洗浄廃液噴射装置と、
前記初期洗浄液噴射装置、前記洗剤入り洗浄液噴射装置、前記再使用洗浄廃液噴射装置の三つの装置の共通構成部品としてのポンプと、
前記すすぎ液噴射装置のポンプと、
を含み、
前記共通構成部品としてのポンプによって、前記１次洗浄時に前記初期洗浄液を噴射させ、前記２次洗浄時に前記洗剤入り洗浄液または再使用洗浄廃液を噴射させ、また、前記すすぎ液噴射装置のポンプによって、前記すすぎ液を噴射させ、
前記開口容器の２次洗浄及びすすぎ洗浄毎に順次生じる２次洗浄廃液及びすすぎ廃液が前記再使用洗浄廃液保存装置に循環するように回収・保存され、その循環して回収・保存された２次洗浄廃液及びすすぎ廃液が後続の個々の開口容器の２次洗浄に循環して使用される一方、前記初期洗浄廃液は再使用されることなく非循環で排出されることを特徴とする開口容器の洗浄装置。
【請求項３】
前記再使用洗浄廃液に前記洗剤又は洗剤入り未使用洗浄液を追加して、再使用洗浄廃液に含有される洗剤濃度の低下を回避ないし抑制する洗剤濃度管理装置を含む請求項１又は２に記載の開口容器の洗浄装置。
【発明の詳細な説明】
【技術分野】
【０００１】
本発明は、開口容器を洗浄するための開口容器の洗浄装置に関する。
【背景技術】
【０００２】
本発明者は、特許文献１において、この種のボウル型部品の洗浄を効率良く行うため、洗浄槽へのボウル型部品の搬入、搬出作業を人手に頼ることなく行うことができるようにした洗浄装置を提案している。
【先行技術文献】
【特許文献】
【０００３】
【特許文献１】特開２００９−５６４２４号公報
【発明の概要】
【発明が解決しようとする課題】
【０００４】
そこで、さらに本発明者は、この洗浄装置おいて、洗浄の効率化以外の機能を付加するために鋭意研究を重ねた結果、洗浄液の使用量を低減させることによって付加価値を高めるように、洗浄技術を改良した開口容器の洗浄装置を提供することにある。
【課題を解決するための手段】
【０００５】
上記課題を解決するために、本発明の開口容器の洗浄装置は、上部開口側を備える開口容器の該上部開口を下向きにした状態で、その開口容器の内面に対し上向きに洗浄液を噴射することによりその開口容器の内面に付着している被洗浄物を洗浄し、その洗浄を後続の個々の開口容器に順次繰り返す洗浄装置であって、１次洗浄としての初期洗浄のために初期洗浄液を開口容器の内面に噴射する初期洗浄液噴射装置と、該開口容器の内面から流下する、前記被洗浄物の一部と前記初期洗浄液との混合物である初期洗浄廃液を排出する初期洗浄廃液排出装置と、前記初期洗浄の後の２次洗浄として、洗剤を含む洗剤入り洗浄液を前記開口容器の内面に噴射する洗剤入り洗浄液噴射装置と、使用済みの前記洗剤入り洗浄液と前記被洗浄物の残部との混合物である２次洗浄廃液を、次の開口容器の２次洗浄に再使用するための再使用洗浄廃液として保存する再使用洗浄廃液保存装置と、その再使用洗浄廃液保存装置に保存された２次洗浄廃液を再使用洗浄廃液として次の開口容器の２次洗浄のために噴射する再使用洗浄廃液噴射装置と、前記初期洗浄液噴射装置、前記洗剤入り洗浄液噴射装置、再使用洗浄廃液噴射装置の三つの装置の共通構成部品としてのポンプと、を含み、前記ポンプによって、前記１次洗浄時に前記初期洗浄液を噴射させ、前記２次洗浄時に前記洗剤入り洗浄液または再使用洗浄廃液を噴射させ、前記開口容器の２次洗浄毎に順次生じる２次洗浄廃液が前記再使用洗浄廃液保存装置に循環するように回収・保存され、その循環して回収・保存された２次洗浄廃液が後続の個々の開口容器の２次洗浄に循環して使用される一方、前記初期洗浄廃液は再使用されることなく非循環で排出されることを特徴とする。
【０００６】
上記構成とすることで、初期洗浄液として開口容器の被洗浄物を除去する一次洗浄工程と、洗剤を含んだ洗剤入り洗浄液で一次洗浄工程が終了した開口容器の被洗浄物を除去する二次洗浄工程を行うことができる。また、一次洗浄工程の初期洗浄廃液は再使用されることなく非循環で排出される。二次洗浄工程の２次洗浄廃液は、一次洗浄工程の初期洗浄廃液とは分けて前記再使用洗浄廃液保存装置に循環するように回収・保存されるため、この２次洗浄廃液を次に洗浄すべき開口容器の二次洗浄工程に使用できることにより、洗剤が溶解された洗剤入り洗浄液の有効利用が促進され、ひいては洗剤の消費が抑えられ、洗浄ランニングコストの低減と洗剤成分の廃棄量低減による環境負荷の低減を可能とする開口容器の洗浄装置を提供できる。
【０００７】
また、本発明の洗浄装置において、２次洗浄の後に、該開口容器の内面にすすぎ液を噴射するすすぎ液噴射装置と、使用済みの前記洗剤入り洗浄液と前記被洗浄物の残部との混合物である２次洗浄廃液、並びに使用済みの前記すすぎ液のすすぎ廃液が混合された２次洗浄廃液及びすすぎ廃液を、次の開口容器の２次洗浄に再使用するための再使用洗浄廃液として保存する再使用洗浄廃液保存装置と、その再使用洗浄廃液保存装置に保存された２次洗浄廃液及びすすぎ廃液を再使用洗浄廃液として次の開口容器の２次洗浄のために噴射する再使用洗浄廃液噴射装置と、前記初期洗浄液噴射装置、前記洗剤入り洗浄液噴射装置、前記再使用洗浄廃液噴射装置の三つの装置の共通構成部品としてのポンプと、前記すすぎ液噴射装置のポンプと、を含み、前記共通構成部品としてのポンプによって、前記１次洗浄時に前記初期洗浄液を噴射させ、前記２次洗浄時に前記洗剤入り洗浄液または再使用洗浄廃液を噴射させ、また、前記すすぎ液噴射装置のポンプによって、前記すすぎ液を噴射させ、前記開口容器の２次洗浄及びすすぎ洗浄毎に順次生じる２次洗浄廃液及びすすぎ廃液が前記再使用洗浄廃液保存装置に循環するように回収・保存され、その循環して回収・保存された２次洗浄廃液及びすすぎ廃液が後続の個々の開口容器の２次洗浄に循環して使用される一方、前記初期洗浄廃液は再使用されることなく非循環で排出されることを特徴とすることにより、このすすぎ工程でのすすぎ廃液も再使用洗浄廃液保存装置に循環するように回収・保存できるため、再使用洗浄廃液保存装置には被洗浄物が少ない２次洗浄廃液及びすすぎ廃液とが混ぜ合わさった再使用洗浄廃液が回収・保存されるため、この再使用洗浄廃液を次に洗浄すべき開口容器の二次洗浄工程に使用できることにより、上記と同様な効果を奏する。
【０００８】
また、本発明の洗浄装置において、前記再使用洗浄廃液に前記洗剤又は洗剤入り未使用洗浄液を追加して、再使用洗浄廃液に含有される洗剤濃度の低下を回避ないし抑制する洗剤濃度管理装置を含むことを特徴とすることにより、洗剤濃度が洗浄に必要な濃度以下になった時点で所定の濃度の洗浄液を追加使用すればよく、洗剤の消費も確実に抑えることができる。
【図面の簡単な説明】
【０００９】
【図１】本発明に係る開口容器の洗浄装置の洗浄回路系統を示す図。
【図２】開口容器の洗浄装置の平面を示す図。
【図３】開口容器の洗浄装置の正面を示す図。
【図４】開口容器の洗浄装置の側面を示す図。
【図５】洗浄液タンクの概要断面を示す図。
【図６】洗浄液ノズル管の断面を示す図。
【図７】開口容器の平面、正面、側面を示す図。
【００１０】
以下、本発明の実施の形態につき図面に示す実施例を参照して説明する。図１は本発明に係る開口容器の洗浄装置の洗浄回路系統を示す図である。図２は開口容器の洗浄装置の平面を示す図である。図３は開口容器の洗浄装置の正面を示す図である。図４は開口容器の洗浄装置の側面を示す図である。
【００１１】
開口容器の洗浄装置１は、図１〜図４に示すように、パン生地などの混練りに用いられるボウル形状をしたボウルとしての開口容器Ｂの内面の汚れである被洗浄物を洗浄し、その洗浄を後続の個々の開口容器Ｂに順次繰り返すように使用するようにした洗浄装置である。この開口容器の洗浄装置１は、洗浄のための洗浄液を噴射させる洗浄部２と、洗浄液受槽３と、洗浄液タンク４と、初期洗浄液回収タンク５と、再使用洗浄廃液回収タンク６と、すすぎ液タンク７とを備えている。
【００１２】
ここで、開口容器Ｂとしては図７に示すように、食品工業関係で使用されるステンレススチール製で形成され、その基本形態は有底筒状であり、下部側が略半球状に形成され、これと連続する上部側が円筒状に形成される本体部分Ｂ１から構成される。
【００１３】
この開口容器Ｂの本体部分Ｂ１の上端が上部開口Ｂ２とされる。また、本体部分Ｂ１の外周には、円環状の補強リングＢ３が固定されている。また、この補強リングＢ３の左右両側には、補強リングＢ３から上方に延び、途中位置から外方に傾斜して延びている左右の持ち上げ用の取手Ｂ４が取り付けられている。
【００１４】
この洗浄装置１の洗浄液受槽３はフレーム８の上部に固定され、その形態は上方に開口した略正方形の一定深さを有する開放箱型状に形成される。この洗浄液受槽３の下には、ポンプ配置部９が配置される。このポンプ配置部９には、洗浄のための洗浄液を噴射させる総合的な洗浄部２の一部を構成するための初期洗浄液噴射装置、洗剤入り洗浄液噴射装置、再使用洗浄廃液噴射装置の三つの装置の共通構成部品としての第一のポンプ１０と、すすぎ液噴射装置の一部を構成する第二のポンプ１１とが固定されている。
【００１５】
第一のポンプ１０は開口容器Ｂの内面に洗浄液を噴射するために、その吐出口１０ａには洗浄液吐出管１３の下端が接続されている。この洗浄液吐出管１３の上端には、洗浄液受槽３の底面３ａの中心に垂直に設置した洗浄液ノズル管１４の下端が接続される。
【００１６】
この洗浄液ノズル管１４は、図６に示すように、その先端には、上方に向かって垂直に洗浄液を噴射する垂直ノズル口１４ａが開口している。また、洗浄液ノズル管１４における垂直ノズル口１４ａの下側近傍の外周面部分には、洗浄液ノズル管１４の中心軸線ＣＬを中心として放射状に下向き方向に洗浄液を噴射する複数の放射状ノズル口１４ｂが形成されている。こられの放射状ノズル口１４ｂからは、たとえば水平方向に対して略３０度下向き方向に洗浄液が噴射される。
【００１７】
また、第一のポンプ１０の吸込口１０ｂには洗浄液タンク４が接続される。この洗浄液タンク４は１次洗浄としての初期洗浄のための初期洗浄液噴射装置の一部として構成されており、図２、図４に示すように、洗浄液受槽３の背部に固定される。この洗浄液タンク４は、水溶性固形洗剤Ｓに接触させた水を、洗剤有効成分が溶解された洗剤入り洗浄液として、又は水溶性固形洗剤Ｓに接触させない水を、初期洗浄液として第一のポンプ１０に供給可能とされる。
【００１８】
この洗浄液タンク４は、図４、図５に示すように、タンク本体４ａ上部に設けられる開閉蓋４ｂを開き、その内部に水溶性袋に入った水溶性固形洗剤Ｓをセットし、この水溶性固形洗剤Ｓにタンク本体４ａ下部の吹付け部４ｃによって外部から供給される水を吹きつけると、水がその水溶性袋を溶かして水溶性固形洗剤Ｓと接触し、有効洗浄成分を溶解して洗剤入り洗浄液として第一のポンプ１０に供給可能となる。
【００１９】
また、初期洗浄液とするには、洗浄液タンク４内に、水溶性固形洗剤Ｓをセットしないか、或いは水溶性固形洗剤Ｓをセットした場合でも、切換バルブ４ｄを操作することによって、水溶性固形洗剤Ｓに水を接触させないようにし、水そののもが初期洗浄液となって第一のポンプ１０に供給可能となる。この洗浄液タンク４における洗剤入り洗浄液と初期洗浄液は必要に応じて選択使用できるようになされている。また、洗浄液タンク４からの洗浄液の供給状態としては、第一のポンプ１０に直接供給するか、または後述する再使用洗浄廃液回収タンク６に必要な量を貯留するようにして供給することも可能である。
【００２０】
初期洗浄廃液回収タンク５は開口容器Ｂの内面から流下する、被洗浄物の一部と初期洗浄液との混合物である初期洗浄廃液を排出する初期洗浄廃液排出装置の一部として構成されており、図２、図４に示すように、洗浄液受槽３の側部側に固定される。この初期洗浄廃液回収タンク５は、洗浄液受槽３の底面３ａにおいて形成される矩形の開口部３ｂと、回収管路１２を介して接続されている。また、回収管路１２はパンチングメタル、網状ストレーナなどのフィルタ部材１２ａを備え、このフィルタ部材１２ａによって初期洗浄廃液回収タンク５や再使用洗浄廃液回収タンク６への洗浄時に発生する汚れとしての固形状の被洗浄物が入り込まないようにされる。なお、フィルタ部材１２ａは取替え可能とされ、メンテナンスを可能となしている。
【００２１】
垂直ノズル口１４ａおよび放射状ノズル口１４ｂから噴射された後に、洗浄液受槽３の底面３ａに流下した初期洗浄廃液は、開口部３ｂに位置している回収口から回収管路１２を通って初期洗浄廃液回収タンク５に回収される。この初期洗浄廃液回収タンク５内の初期洗浄廃液は外部に排水されることとなる。このように初期洗浄廃液排出装置は初期洗浄廃液を再使用することなく非循環で排出させる機能を有している。
【００２２】
また、再使用洗浄廃液回収タンク６は初期洗浄の後の２次洗浄に使用される再使用洗浄廃液保存装置の一部として構成されており、図２、図４に示すように、洗浄液受槽３の背部側に固定される。この再使用洗浄廃液回収タンク６には、洗浄液受槽３の底面３ａの開口部３ｂとの間に、再使用洗浄廃液回収タンク５とも接続される回収管路１２が接続されている。この回収管路１２は流路切換バルブ１５を有している。この流路切換バルブ１５による流路の切換操作によって初期洗浄廃液を初期洗浄廃液回収タンク５に回収するための廃液回収流路Ｒ１と、洗剤入り洗浄液と被洗浄物の残部との混合物である２次洗浄廃液を、次の開口容器Ｂの２次洗浄に再使用するための再使用洗浄廃液として再使用洗浄廃液回収タンク６に回収・保存するための洗浄液回収流路Ｒ２とが、選択的に切り替えられることを可能にしている。このように再使用洗浄廃液保存装置は、開口容器の２次洗浄毎に順次生じる２次洗浄廃液が循環するように回収・保存され、その循環して回収保存された２次洗浄廃液が後続の個々の開口容器Ｂの２次洗浄に循環して使用させる機能を有している。
【００２３】
また、すすぎ液が貯留されるすすぎ液タンク７は、開口容器Ｂの２次洗浄の後に、開口容器Ｂの内面にすすぎ液を噴射するすすぎ液噴射装置の一部として構成されており、図２、図４に示すように、洗浄液受槽３の背部側で、かつ再使用洗浄廃液回収タンク６に隣接して固定される。このすすぎ液タンク７は洗浄液受槽３の下のポンプ配置部９内に固定される洗浄部２の一部を構成するための第二のポンプ１１の吸込口１１ａに接続され、すすぎ液を供給可能としている。なお、このすすぎ液は再使用洗浄廃液回収タンク６に直接供給するように配管類（図示せず）で接続することも可能である。
【００２４】
また、第二のポンプ１１の吐出口１１ｂには、すすぎ液吐出管１６の下端が接続されており、すすぎ液吐出管１６の上端は、洗浄液受槽３の底面３ａを貫通して延び、洗浄液ノズル管１４を中心として回転対称の位置に垂直に配置されている一対のすすぎ液ノズル管１７に接続されている。このすすぎ液ノズル管１７の上端部分は洗浄液受槽３の上端開口よりも上方に突出しており、その上端には、上方に向けて垂直にすすぎ液を噴射するすすぎ液ノズル口１７ａが形成されている。
【００２５】
また、フレーム８には、開口容器Ｂを洗浄位置まで移送するための旋回式移送機構２０が取り付けられている。この旋回式移送機構２０は、左右一対のＬ型アーム２１、２２と、これらＬ型アーム２１、２２の旋回中心を規定している水平旋回中心軸２３と、この水平旋回中心軸２３を回転駆動するためのギヤードモータ２４とを備えている。水平旋回中心軸２３は、フレーム８の前面上端部分の両端に取り付けた軸受け２５、２６を介して回転自在の状態で支持されている。
【００２６】
Ｌ型アーム２１、２２は、水平旋回中心軸２３に直角に取り付けられた後側腕部分２１ａ、２２ａと、後側腕部分２１ａ、２２ａの先から直角に延びている前側腕部分２１ｂ、２２ｂとを備えている。前側腕部分２１ｂ、２２ｂは水平連結板（図示せず）によって連結されている。また、前側腕部分２１ｂ、２２ｂの先端側の内側側面には、内方に開口したコの字状のボウル保持部２１ｃ、２２ｃが取り付けられている。これらボウル保持部２１ｃ、２２ｃに、開口容器Ｂの補強リングＢ３の左右を保持することが可能となっている。
【００２７】
この旋回式移送機構２０では、Ｌ型アーム２１、２２の旋回によって開口容器Ｂが、図３において実線で示す受渡位置２０Ａから一点鎖線で示す洗浄位置２０Ｂに至る範囲を旋回可能である。受渡位置２０Ａでは、Ｌ型アーム２１、２２の前側腕部分２１ｂ、２２ｂが前方に水平に延びた状態とされる。開口容器Ｂは、ボウル専用台車（図示せず）によって上向き状態で運び込まれ、ボウル専用台車に載っている開口容器Ｂを左右のＬ型アーム２１、２２の間に位置決めして水平に押し出すと、図２〜図４において実線で示すように、これらＬ型アーム２１、２２の間に開口容器Ｂが搭載された状態になる。
【００２８】
旋回式移送機構２０のＬ型アーム２１、２２を図３に示す旋回軌跡Ｌに沿って受渡位置２０Ａから旋回させると、開口容器Ｂも一緒に旋回して反転し、下向き姿勢になる。洗浄位置２０Ｂでは、左右のＬ型アーム２１、２２の前側腕部２１ｂ、２２ｂは洗浄液受槽３の真上において水平に保持される。開口容器Ｂは洗浄液受槽３の中心にボウル中心軸線が一致した下向き姿勢となり、この状態で洗浄液受槽３の底面３ａから所定の高さ位置の所に保持される。この状態では図３に示すように、垂直ノズル口１４ａが開口容器Ｂの半球状の内部のほぼ中心に位置し、すすぎ液ノズル口１７ａが開口容器Ｂの円筒状の内部に位置することとなる。
【００２９】
本発明の開口容器の洗浄装置１の洗浄工程は、上部開口Ｂ２側を下向きとして保持された開口容器Ｂの汚れとしての被洗浄物を洗浄するため、まず、旋回式移送機構２０によって洗浄位置２０Ｂにて開口容器Ｂを洗浄液受槽３の中心にボウル中心軸線が一致した下向き姿勢とし、かつ洗浄液受槽３の底面３ａから所定の高さ位置の所に保持させる。
【００３０】
開口容器Ｂを洗浄位置２０Ｂに保持した後は、洗浄液タンク４内から初期洗浄液を第一のポンプ１０に供給する。そして、第一のポンプ１０が駆動され、初期洗浄液が洗浄液ノズル管１４に圧送される。洗浄液ノズル管１４の垂直ノズル口１４ａおよび放射状ノズル口１４ｂからは図６（ｂ）の矢印で示すように上方および放射状に初期洗浄液が噴射される。上方に垂直に噴射された初期洗浄液は、一定の広がり角で開口容器Ｂの内周面に吹き付けられる。この吹き付けられた初期洗浄液は、全内周に均一にむら無く広がり、内周面に沿って下方に勢い良く流れ落ちる。これによって、開口容器Ｂの内周面に付着している被洗浄物が確実に洗い流される（１次洗浄工程）。
【００３１】
また、各放射状ノズル口１４ｂからは、開口容器Ｂの上部開口Ｂ２の上半部分の内周面部分に向けて下向きに初期洗浄液が吹き付けられる。これにより、開口容器Ｂの上部開口Ｂ２の内周面部分に付着している被洗浄物も確実に洗い流される。
【００３２】
開口容器Ｂの内周面に沿って流れて洗浄液受槽３に流れ落ちた被洗浄物の一部と初期洗浄液との混合物である初期洗浄廃液は、その底面３ａに接続される回収管路１２を介して初期洗浄廃液回収タンク５に回収され、この初期洗浄廃液回収タンク５の初期洗浄廃液は適宜外部に排出される。
【００３３】
１次洗浄（初期洗浄）の後、例えば、洗浄液タンク４のタンク本体４ａ上部に設けられる開閉蓋４ｂを開け、その内部に水溶性袋に入った水溶性固形洗剤Ｓをセットし、この水溶性固形洗剤Ｓにタンク本体４ａ下部の吹付け部４ｃによって外部から供給される水を吹きつけると、水がその水溶性袋を溶かして水溶性固形洗剤Ｓと接触し、有効洗浄成分を溶解して、洗剤を含む洗剤入り洗浄液として第一のポンプ１０に供給されることとなる。
【００３４】
そして、第一のポンプ１０が駆動され、洗剤入り洗浄液が上記と同様に開口容器Ｂ内周面に吹き付けら、水（初期洗浄液）のみによる洗浄では除去しきれない汚れとしての被洗浄物が確実に洗い流される（２次洗浄工程）。この開口容器Ｂの内周面に沿って流れて洗浄液受槽３に流れ落ちた、使用済みの洗剤入り洗浄液と被洗浄物の残部との混合物である２次洗浄廃液は、その底面３ａに接続される回収管路１２を介して再使用洗浄廃液回収タンク６に回収・保存される。
【００３５】
さらに、洗剤入り洗浄液による洗浄が終了した後は、すすぎ液タンク７内のすすぎ液を第二のポンプ１１に供給する。そして、第二のポンプ１１を駆動して、すすぎ液をすすぎ液ノズル管１７に圧送する。このすすぎ液ノズル管１７のノズル口１７ａからは上方に向けて垂直に一定の広がり角ですすぎ液が噴射される。
【００３６】
この噴射されたすすぎ液は、開口容器Ｂの内周面に吹き付けられ、全周に広がりながら流れ落ちる。これにより、開口容器Ｂ全体のすすぎが行われる（３次洗浄工程）。この開口容器Ｂから洗浄液受槽３に流れ落ちた、すすぎ液はすすぎ廃液として、その底面３ａに接続される回収管路１２を介して再使用洗浄廃液回収タンク６に回収される。
【００３７】
これによって、再使用洗浄廃液回収タンク６には被洗浄物の異物が少ない２次洗浄廃液とすすぎ廃液とが混ぜ合わさった状態の再使用洗浄廃液となる。この再使用洗浄廃液は２次洗浄廃液の有効洗浄成分がすすぎ液によって、その洗剤濃度が低下するようになる。この回収・保存された再使用洗浄廃液は有効洗浄成分（洗剤）を含んでいるから、その後に洗浄すべき開口容器Ｂのすすぎ工程（３次洗浄工程）前の２次洗浄工程に使用できるものである。
【００３８】
そして、このように回収・保存された再使用洗浄廃液によって、１次洗浄工程が終了した開口容器Ｂに対して２次洗浄工程が実施できることとなり、洗浄剤の再使用を可能にしている。その後は、２次洗浄工程での洗浄に必要な濃度以下になった時点で新たに洗浄液タンク４から所定の濃度の有効洗浄成分が溶解された洗剤入り洗浄液を使用すればよく、水溶性固形洗剤Ｓの消費も抑えることができることとなる。このように再使用洗浄廃液に、洗剤又は洗剤入り未使用洗浄液を追加して、再使用洗浄廃液に含有される洗剤の濃度を低下ないし抑制するように機能する洗剤濃度管理装置としても構成されることとなる。
【００３９】
なお、本例はパン生地などを混練りするために用いられるボウル型部品である開口容器のＢの洗浄装置に関するものであるが、類似のボウル形状をした各種のボウル型部品の洗浄装置としても用いることができることは勿論である。
【符号の説明】
【００４０】
１            開口容器の洗浄装置
２            洗浄部（初期洗浄噴射装置、洗剤入り洗浄席噴射装置、再使用洗浄廃液噴射装置）
３            洗浄液受槽
４            洗浄液タンク
５            初期洗浄廃液回収タンク（初期洗浄廃液排出装置）
６            再使用洗浄廃液回収タンク（再使用洗浄廃液保存装置）
７            すすぎ液タンク
１２          回収管路
１５          流路切換バルブ
Ｂ            開口容器
Ｂ２          上部開口
【要約】
【課題】  洗浄液の使用量を低減させることによって付加価値を高めるように、洗浄技術を改良した開口容器の洗浄装置を提供する。
【解決手段】  開口容器Ｂの内面に付着している被洗浄物を洗浄し、その洗浄を後続の個々の開口容器Ｂに順次繰り返す洗浄装置であって、１次洗浄の初期洗浄液を噴射する初期洗浄液噴射装置と、初期洗浄廃液を排出する初期洗浄廃液排出装置と、洗剤入り洗浄液を噴射する洗剤入り洗浄液噴射装置と、２次洗浄廃液を再使用洗浄廃液として保存する再使用洗浄廃液保存装置と、再使用洗浄廃液保存装置の２次洗浄廃液を再使用洗浄廃液として噴射する再使用洗浄廃液噴射装置と、２次洗浄廃液が前記再使用洗浄廃液保存装置に循環するように回収・保存され、その循環して回収・保存された２次洗浄廃液が後続の個々の開口容器Ｂの２次洗浄に循環して使用される一方、初期洗浄廃液は再使用されることなく非循環で排出されることを特徴とする。
【選択図】  図１【図１】
0004649538.tif 000002
【図２】
0004649538.tif 000003
【図３】
0004649538.tif 000004
【図４】
0004649538.tif 000005
【図５】
0004649538.tif 000006
【図６】
0004649538.tif 000007
【図７】
0004649538.tif 000008